(57)【要約】【課題】  容器本体首部の開口端側に適度に密着させることが可能であり、また温度変化や内容液による容器本体内の酸素の消費などによりへこむ不具合を解消することができるスポイドゴム、およびそれを用いた化粧品用または医療品用容器を提供する。【解決手段】  スポイドをその開口から液密に挿入された状態で、首部において開口を有し、当該首部の開口端側が平坦に形成されてなる容器本体に装着されるスポイドゴムであって、周方向に延びる溝と、その開口端において径方向外方に向けて突出するフランジとを有する周壁を備え、フランジの開口端側に１または複数本の環状の突起が形成されてなるスポイドゴム、ならびに、当該スポイドゴムを用いてなる化粧品用または医薬用容器。【選択図】        図１
2006160339.tif 000002
【特許請求の範囲】
【請求項１】
スポイドをその開口から液密に挿入された状態で、首部において開口を有し、当該首部の開口端側が平坦に形成されてなる容器本体に装着されるスポイドゴムであって、
周方向に延びる溝と、その開口端において径方向外方に向けて突出するフランジとを有する周壁を備え、フランジの開口端側に環状の突起が形成されてなるスポイドゴム。
【請求項２】
硬さが３５〜７０度の範囲に選ばれたものである、請求項１に記載のスポイドゴム。
【請求項３】
前記環状の突起が１または複数本形成されたものである、請求項１または２に記載のスポイドゴム。
【請求項４】
天然ゴム、合成ゴムまたは熱可塑性エラストマーで形成されたものである、請求項１〜３のいずれかに記載のスポイドゴム。
【請求項５】
請求項１〜４のいずれかに記載のスポイドゴムと、
スポイドゴムの開口に液密に挿入可能なスポイドと、
両端に開口を有する筒状体であって、その周壁の内側が螺合可能に形成され、周壁の一方側の端部に連なって径方向内方に突出する底壁を有するキャップ体と、
外壁が螺合可能に形成された首部において開口を有し、当該首部の開口端側が平坦に形成されてなる容器本体とを備える化粧用または医薬用容器であって、
スポイドゴムを装着したスポイドをキャップ体の底壁の開口より挿入して、スポイドゴムの溝およびフランジとキャップ体の底壁とを嵌合させた状態で、キャップ体の周壁の内側と容器本体の首部の外壁とを螺合させ、スポイドゴムのフランジに形成された環状の突起が容器本体の首部の開口端に圧接された構造を備える化粧品用または医薬品用容器。
【発明の詳細な説明】
【技術分野】
【０００１】
本発明は、スポイドをその開口から液密に挿入された状態で、首部において開口を有し、当該首部の開口端側が平坦に形成されてなる容器本体に装着されるスポイドゴムおよび、当該スポイドゴムを用いた化粧品用または医薬品用の容器に関する。
【背景技術】
【０００２】
従来より、スポイドゴムを装着したスポイドをキャップ体に挿通させた状態で、キャップ体を容器本体に取り付けてなる化粧品用または医薬品用の容器が知られている。このような容器は、スポイドゴムを押圧した後に圧力を開放することによって、容器本体内に収容された内容液（美容液、ビタミン液剤、抗生物質液など）をスポイド内に吸い上げることができる。そして、スポイドに装着されたスポイドゴムが嵌合されたキャップ体を、容器本体の首部から外し、内容液の適用対象（人体の皮膚、患部など）上で再びスポイドゴムを再び押圧することによって、スポイド中に吸い上げられていた内容液を適用対象に滴下することができる。
【０００３】
上述した化粧品用または医薬品用の容器において、スポイドゴムは通常、周壁に周方向に形成された溝と、その開口端側より径方向外方に突出するようにして形成されたフランジとを有する。またキャップ体としては、両端に開口を有する筒状物が用いられ、周壁の一方側の端部に、径方向内方に突出するように形成された底壁を有するように実現される。このキャップ体の底壁に形成された開口に、スポイドゴムを装着したスポイドをその開口端側から挿入し、スポイドゴムの溝およびフランジと、キャップ体の底壁とを嵌合させる。またキャップ体の周壁は、その内側が螺合可能に予め形成される。そして容器本体は、その外壁が螺合可能に形成された首部を有し、その首部において開口するように形成される。このような容器本体の首部に、上述したようにスポイドに装着されたスポイドゴムと嵌合されたキャップ体を螺合させることによって、化粧品用または医薬品用の容器が製造される。
【特許文献１】特開２００１−２７８３６５号公報
【特許文献２】国際公開第００／２７８８号パンフレット
【特許文献３】登録実用新案第３０６９５３３号公報
【特許文献４】特開平８−３２４６２２号公報
【特許文献５】実開平３−９３４５６号公報
【特許文献６】実開平３−８１６４号公報
【特許文献７】実開平３−７６５０４号公報
【特許文献８】実公平８−４４４０号公報
【発明の開示】
【発明が解決しようとする課題】
【０００４】
しかしながら、上述した化粧品用または医薬品用の容器では、キャップ体を容器本体の首部に螺合させた後に、内容液が潤滑剤として働きトルクバック（キャップ体と容器本体首部との螺合が緩む）してしまうという問題があった。これは、上述したように、キャップ体はその底壁にてスポイドゴムの溝およびフランジと嵌合するようにして形成されてなるが、キャップ体を容器本体の首部に螺合させた状態では、スポイドゴムのフランジがそのゴム弾性によって元に戻ろうとする力が働くためであると考えられる。トルクバックが起こると、容器本体に収容された内容液の液漏れが起こったり、また気密性が損なわれるため内容液の劣化を早める場合がある。
【０００５】
また上記とは逆に、スポイドゴムのフランジと容器本体の首部の開口端側とが強固に密着し過ぎて、キャップ体と容器本体首部との螺合を緩めるのが困難となる場合もある。
【０００６】
さらに、化粧品用または医薬品用容器は、容器本体に内容液が収容された状態で冷所保存される場合が多いが、温度変化や、内容液が容器本体内およびこれに連通するスポイドゴム内の酸素を消費してしまうことにより、容器本体およびスポイドゴムの内部空間が減圧状態となる。このため、スポイドゴムの周壁のつまみ部分がへこんでしまうという問題があった。
【０００７】
本発明は、上記課題を解決するためになされたものであって、その目的とするところは、容器本体首部の開口端側に適度に密着させることが可能であり、また温度変化や内容液による容器本体内の酸素の消費などによりへこむ不具合を解消することができる新規なスポイドゴム、およびそれを用いた化粧品用または医療品用容器を提供することである。
【課題を解決するための手段】
【０００８】
本発明のスポイドゴムは、スポイドをその開口から液密に挿入された状態で、首部において開口を有し、当該首部の開口端側が平坦に形成されてなる容器本体に装着されるスポイドゴムであって、周方向に延びる溝と、その開口端において径方向外方に向けて突出するフランジとを有する周壁を備え、フランジの開口端側に環状の突起が形成されてなることを特徴とする。
【０００９】
本発明のスポイドゴムは、硬さが３５〜７０度の範囲に選ばれたものであるのが好ましい。
【００１０】
また本発明のスポイドゴムにおいて、前記環状の突起は１または複数本形成されたものであるのが好ましい。
【００１１】
また本発明のスポイドゴムは、天然ゴム、合成ゴムまたは熱可塑性エラストマーで形成されたものであるのが好ましい。
【００１２】
また本発明は、上述したスポイドゴムと、スポイドゴムの開口に液密に挿入可能なスポイドと、両端に開口を有する筒状体であって、その周壁の内側が螺合可能に形成され、周壁の一方側の端部に連なって径方向内方に突出する底壁を有するキャップ体と、外壁が螺合可能に形成された首部において開口を有し、当該首部の開口端側が平坦に形成されてなる容器本体とを備える化粧用または医薬用容器であって、スポイドゴムを装着したスポイドをキャップ体の底壁の開口より挿入して、スポイドゴムの溝およびフランジとキャップ体の底壁とを嵌合させた状態で、キャップ体の周壁の内側と容器本体の首部の外壁とを螺合させ、スポイドゴムのフランジに形成された環状の突起が容器本体の首部の開口端に圧接された構造を備える化粧品用または医薬用容器をも提供する。
【発明の効果】
【００１３】
本発明のスポイドゴムによれば、容器本体に装着した状態で、スポイドゴムのフランジと容器本体の首部の開口端とが従来のように面接触ではなく、突起を介した線接触により圧接されてなるため、キャップ体と容器本体とが巻き締められ易く、トルクバックが起こりにくくなる。さらに、スポイドゴムのフランジと容器本体の首部が面接触ではなく線接触により圧接されることによって、従来のようにスポイドゴムのフランジと容器本体の首部の開口端側とが強固に密着し過ぎて、キャップ体と容器本体首部との螺合を緩めるのが困難となることも起こらない。このように本発明のスポイドゴムを用いた化粧品用または医薬品用容器においては、突起が容器本体の首部に圧接され、容器本体の内部空間およびそれに連通するスポイドゴムの内部空間を気密に保持することができ、優れたシール効果を発揮できる。
【００１４】
また本発明の化粧品用または医薬品用容器においては、キャップ体と容器本体の巻き締めにより、スポイドゴムの突起が圧縮されることによって、容器本体の内部空間およびこれに連通するスポイドゴムの内部空間は陽圧状態に保持される。これによって、温度変化、内容液による酸素消費などによって上記内部空間が減圧となり、スポイドゴムのつまみ部分がへこむという不具合も解消される。
【発明を実施するための最良の形態】
【００１５】
図１は、本発明の好ましい一例の化粧品用または医薬品用容器１を模式的に示す断面図であり、図２はその正面図である。なお、図１は図２の切断面線Ｉ−Ｉからみた断面図である。また図３は、図１のセクションＩＩＩを一部拡大して示す図である。図４は本発明の好ましい一例の化粧品用または医薬品用容器１の右分解斜視図であり、図５は左分解斜視図である（なお、図４および図５において、スポイド３は省略している）。さらに図６は、スポイドゴム２を装着したスポイド３をキャップ体４に挿通させた構成体を示す斜視図である。本発明のスポイドゴム２は、スポイド３をその開口１２から液密に挿入された状態で、首部において開口を有し、当該首部の開口端側が平坦に形成されてなる容器本体５に装着されるスポイドゴム２であり、周方向に延びる溝と、その開口端において径方向外方に向けて突出するフランジとを有する周壁を備え、フランジの開口端側に環状の突起が形成されてなるものである。また、本発明の化粧品用または医薬品用容器１は、上述した本発明のスポイドゴム２と、スポイド３と、キャップ体４と、容器本体５とを基本的に備え、スポイドゴム２を装着したスポイド３をキャップ体４に挿通させた状態で、キャップ体４を容器本体５に取り付けてなる基本構造を有する。
【００１６】
〔１〕スポイドゴム
本発明のスポイドゴム２は、通常、一方側のみに開口１２を有する中空の回転体で実現され、その周壁１１に、溝１３およびフランジ１４が形成される。スポイドゴム２の周壁１１に形成された溝１３は、周方向に延びるようにして形成される。溝１３の幅および深さは、後述するキャップ体５の底壁が嵌合し得るように選ばれるならば特に制限されるものではない。
【００１７】
フランジ１４は、スポイドゴム２の周壁１１の開口１２が形成された端部（開口端）において、周方向全域にわたって径方向外方に突出するようにして形成される。フランジ１４は、後述するキャップ体４の底壁と強固に嵌合させ得る観点から、図１に示すように溝１３に隣接して形成されてなるのが好ましい。フランジ１４の幅および高さは、特に制限されるものではない。
【００１８】
本発明のスポイドゴム２の特徴の一つは、このフランジ１４の開口端側に、環状の突起１６が形成されてなることである。環状の突起１６は、図１および図３に示す例のように１本のみ形成されてもよいし、複数本（２〜３本）同心円状に形成されていてもよい。突起１６が数本形成されている場合には、容器本体の内部空間およびそれに連通するスポイドゴムの内部空間の気密性をより向上できるという利点がある。突起１６の断面形状は、半円状、方形状、台形状、三角形状など様々な形状であってよいが、後述する容器本体５の首部の開口端側との密着性の観点からは、図１および図３に示すような半円状であるのが好ましい。また、突起１６の幅および高さは特に制限されるものではないが、幅が０．３〜１．０ｍｍであり、高さが０．１〜１．０ｍｍであるのが好ましい。
【００１９】
また、本発明のスポイドゴム２は、その硬さが３５〜７０度であるのが好ましく、４０〜６５度に選ばれるのがより好ましい。スポイドゴム２の硬さが３５度未満であると、温度変化などによるつまみ部のへこみが起こり易くなり、また、トルクバックし易くなる傾向にあるためであり、また、７０度を越えると、硬すぎて樹脂キャップへの装着性が悪くなり、また、使用時につまみ部の感触が硬くなる傾向にあるためである。なお、上記スポイドゴム２の硬さは、ＪＩＳ  Ｋ  ６２５３の規定に準拠して測定された値を指す。
【００２０】
本発明のスポイドゴム２は、上記物性を満たす弾性体であるならば、その形成材料は特に制限されるものではなく、たとえば、天然ゴム、合成ゴムまたは熱可塑性エラストマーで形成されたものであるのが好ましい。合成ゴムとしてはたとえば、イソプレンゴム、スチレンブタジエンゴム、エチレンプロピレンターポリマー、ネオプレンゴム、アクリロニトリルブタジエンゴム、ブチルゴム（レギュラーブチルゴム、ハロゲン化ブチルゴム、ジビニルベンゼン部分架橋ブチルゴム、臭素化イソブチレン−パラメチルスチレンゴム）、シリコーンゴム、フッ素ゴム、エチレンプロピレンゴム、ブタジエンゴム、ニトリルゴムなどが挙げられる。また熱可塑性エラストマーとしては、たとえば、オレフィン系、スチレン系、塩化ビニル系、ウレタン系、ポリエステル系、動的架橋型エラストマーなどが挙げられる。
【００２１】
スポイドゴム２は、本発明の効果を損なわない範囲であるならば、主体成分である上記材料に、当分野で使用される適宜の添加剤が添加されたものであっても当然よい。添加剤としては、活性剤（たとえば、ジエチレングライコール、ポリエチレングライコール）、充填剤（たとえば、タルク、炭酸カルシウム、珪酸カルシウム、カーボンブラック）、着色顔料（たとえば、酸化チタン、カーボンブラック、有機顔料、無機顔料）、老化防止剤、ブレンド可能な熱可塑性樹脂、軟化剤オイル、加硫剤、架橋剤、架橋助剤、加硫促進剤、補強剤、軟化剤などが挙げられる。
【００２２】
またスポイドゴム２のフランジ１４は、たとえばプラスチックフィルムなどで被覆されていてもよい。これにより、突起１６を含めた当該フランジ１４の耐薬品性が向上するという利点がある。
【００２３】
このような本発明におけるスポイドゴム２は、当業者であれば従来公知の適宜の手法（たとえばコンプレッション成形、インジェクション成形）にて製造することができる。製造の条件等についても、従来公知の適宜の条件を適用することができ、特に制限されるものではない。
【００２４】
〔２〕スポイド
本発明におけるスポイド３は、スポイドゴム２の開口１２に液密に挿入可能な菅状物であれば特に制限されない。図１に示す例においては、スポイド３の一方側の端部が径方向外方に突出する頭部２１を有するように実現され、このスポイド３の頭部２１をスポイドゴム２の溝１１に嵌合させることによって、スポイド３にスポイドゴム２を液密に装着する構造を実現している。
【００２５】
本発明におけるスポイド３は、上記頭部２１が形成されているのとは反対側に注入口２２を有し、この注入口２２を有する先端が球状に形成されてもよい。このようにスポイド３の注入口２２を有する先端が球状に形成されてなることによって、容器本体５内に収容された内容液を吸入し対象に滴下する際に、対象を誤って損傷することがなく、安全に内容液の滴下を行うことができるという利点がある。
【００２６】
本発明におけるスポイド３の形成材料としては、当分野において従来より広く用いられている、たとえばガラスや樹脂などを適宜使用することができる。本発明におけるスポイド３は、当業者であれば従来公知の適宜の方法によって製造することができるものである。また、市販のものを用いてもよい。
【００２７】
〔３〕キャップ体
本発明におけるキャップ体４は、両端に開口３２，３３を有する断面円形状の筒状体であり、その周壁３１の内側が螺合し得るように形成される。キャップ体４は、その軸線方向一方側が全面に開口３２が形成される。本発明の化粧品用または医薬品用容器１においては、この開口３２より容器本体５の首部を挿入し、キャップ体４を容器本体５の首部に螺合させることによって、スポイドゴム２、スポイド３およびキャップ体４で構成される構成体を容器本体５に装着する（図１、図４および図５を参照）。開口３２の大きさ（径）は、容器本体５の首部の径に併せて適宜選択されればよく、特に制限はされない。
【００２８】
また本発明におけるキャップ体４は、その軸線方向他方側において、周壁３１に連なり径方向内方へ向けて突出する底壁３４を有し、この底壁３４の中央に円形状の開口３３が形成されてなる。本発明の化粧品用または医薬品用容器１は、この底壁３４に形成された開口３３より、スポイドゴム２を挿通させ、スポイドゴム２の溝１３およびフランジ１４をキャップ体４の底壁３４に嵌合させることによって、スポイドゴム２、スポイド３およびキャップ体４を含む構成体が形成される（図１、図４〜図６を参照。）。
【００２９】
本発明におけるキャップ体４の形成材料としては、当分野において従来より広く用いられている樹脂材料を適宜使用することができる。本発明におけるキャップ体４は、当業者であれば従来公知の適宜の方法によって製造することができる。また、市販のものを用いてもよい。
【００３０】
〔４〕容器本体
本発明における容器本体５は、液体を収容し得る内部空間を形成する周壁４１およびその一端に連なる底壁４２を有し、周壁４１の底壁４２とは反対側の端部に、開口４４が形成された首部４３を有する。首部４３は、その外壁が螺合可能に形成され、この首部４３に上述したキャップ体４の周壁３１の内側を螺合させることによって、図１に示すように容器本体５にキャップ体４を装着することができる。
【００３１】
本発明における容器本体５は、上記首部４３の開口端４５が平坦に形成されたものであることを特徴とする。この開口端４５が平坦に形成されることによって、後述するようにスポイドゴム２のフランジ１４に形成された突起１６を当該開口端４５に密着させることができ、容器本体５およびこれに連通するスポイドゴム２の内部空間を気密状に保持することができるようになる。
【００３２】
容器本体５を形成する材料としては、当分野において従来より広く用いられているガラスや樹脂材料（たとえば、ポリエチレン、ポリプロピレン、シクロオレフィンポリマー、シクロオレフィンコポリマー、ポリカーボネート、ポリスチレン、塩化ビニル、ポリエチレンテレフタレート、ポリエチレンナフタレートなど）を適宜使用することができる。本発明における容器本体５も、当業者であれば従来公知の適宜の方法によって製造することができ、また、市販のものを用いることもできる。
【００３３】
〔５〕化粧品用または医薬品用容器
本発明の化粧品用または医薬品用容器１は、スポイドゴム２を装着したスポイド３をキャップ体４の底壁３４の開口３３より挿入し、スポイドゴム２の溝１３およびフランジ１４とキャップ体４の底壁３４とが嵌合された状態で、キャップ体４の周壁３１の内側と容器本体５の首部４３の外壁とが螺合された構造を備える。本発明の化粧品用または医薬品用容器１は、このような構造において、スポイドゴム２のフランジ１４に形成された環状の突起１６が容器本体５の首部４３の開口端４５に圧接されてなることを特徴とする。
【００３４】
本発明の化粧品用または医薬品用容器１は、フランジ１４の開口端側に突部１６が形成されてなる本発明のスポイドゴム２を用いることによって、図１に示した状態において、スポイドゴム２のフランジと容器本体５の首部の開口端とが従来のように面接触ではなく、突起１６を介した線接触により圧接されてなるため、キャップ体４と容器本体５とが巻き締められ易く、トルクバックが起こりにくくなる。さらに、スポイドゴム２のフランジと容器本体５の首部が面接触ではなく線接触により圧接されることによって、従来のようにスポイドゴムのフランジと容器本体の首部の開口端側とが強固に密着し過ぎて、キャップ体と容器本体首部との螺合を緩めるのが困難となることも起こらない。本発明の化粧品用または医薬品用容器１においては、突起１６が容器本体５の首部に圧接され、容器本体の内部空間およびそれに連通するスポイドゴム２の内部空間を気密に保持することができ、優れたシール効果を発揮できる。
【００３５】
また本発明の化粧品用または医薬品用容器１においては、キャップ体４と容器本体５の巻き締めにより、スポイドゴム２の突起１６が圧縮されることによって、容器本体５の内部空間およびこれに連通するスポイドゴム２の内部空間は陽圧状態に保持される。これによって、温度変化、内容液による酸素消費などによって上記内部空間が減圧となり、スポイドゴムのつまみ部分がへこむという不具合も解消されるという利点もある。
【００３６】
本発明の化粧品用または医薬品用容器１に収容される内容液としては、たとえば美容液、薬液（ビタミン剤、抗生物質など）や分析用試薬溶液などが例示される。
【００３７】
本発明の化粧品用または医薬品用容器１は、用事、容器本体５の首部とキャップ体４との螺合を緩め、スポイドゴム２のつまみ部分を押圧し、続けて解放することによって適量の内容液を吸い上げた後、再びスポイドゴム２のつまみ部分を押圧することによって、適宜の対象に内容液を滴下する、というようにして使用する。本発明の化粧品用または医薬品用容器１は、このようにして繰り返し使用することが可能である。
【００３８】
図７は、本発明の好ましい他の例のスポイドゴム５１を模式的に示す断面図であり、図８はその下面図である。図７および図８に示す例のスポイドゴム５１は、図１〜図６に示した例のスポイドゴム２と同様の基本構造を有する一方側のみに開口５３を有する中空の回転体であり、その周壁５２に、周方向に延びる溝５４およびフランジ５５が形成される。フランジ５５は周壁５２の開口端側において周方向全域にわたり径方向外方に突出するようにして形成され、その開口端側に環状の突起５６が形成される。
【００３９】
図７および図８に示す例のスポイドゴム５１では、周壁５２の開口端の反対側から溝５４に隣接する部分が、周方向全域にわたり径方向外方に向けて突出する環状の凸部５７を形成する。この凸部５７は、スポイドゴム５１の溝５４およびフランジ５５をキャップ体の底壁に嵌合させた際に、キャップ体の底壁をその上側から押圧固定する役割を果たす。なお、図８に示す例のスポイドゴム５１において、溝５４の深さは、この凸部５７の頂点と溝５４の底部との高さの差を指す。また、図７に示す例のスポイドゴム５１には、周壁５２の内側に、スポイドの頭部が嵌合し得る溝５８が形成される。
【００４０】
以下に実施例を挙げて本発明をより詳細に説明する。
【００４１】
＜実施例１＞
臭素化ブチルゴム（臭素化ブチル２２５５、エクソンモービル社製）１００重量部に、ポリエチレン樹脂（ハイワックス２２０Ｐ、三井石油化学社製）２重量部、焼成クレー（サティントンＷホワイトテックス、エンゲルハード社製）７０重量部、合成シリカ（ニップシールＶＮ−３、東ソーシリカ社製）１０重量部、促進剤（ジ−ペンタメチレンチウラムテトラサルファイド）０．８重量部、硫黄０．３重量部、酸化マグネシウム５重量部、酸化亜鉛２重量部、ステアリン酸０．５重量部を配合して成形後、洗浄、乾燥処理を行い、図１に示した例のスポイドゴム２を作製した。このようにして作製された実施例１のスポイドゴム２は、輸液用ゴム栓試験（第１４改正日本薬局方）の溶出物試験および厚生省告示８５号試験に適合するものであった。また、ＪＩＳ  Ｋ  ６２５３の規定に準拠して測定されたスポイドゴム２の硬さは５５度であった。
【００４２】
スポイドゴム２は、周方向に延びる溝１３と、その開口端に径方向外方に向けて突出するフランジ１４とを有する周壁を備え、フランジの開口端側に断面円形状の環状の突起１６が形成されてなる構造とした。実施例１で作製したスポイドゴム２の各寸法は、以下のとおりである。
【００４３】
・フランジ１４の幅：１７．２ｍｍ
・フランジ１４の高さ（突起高さを含まず）：２．５ｍｍ
・突起１６の幅：０．８ｍｍ
・突起１６の高さ：０．４ｍｍ
＜実施例２＞
イソプレンゴム（ＩＲ２２００、日本ゼオン社製）８０重量部に、ブタジエン樹脂（ＢＲ８２０、日本合成ゴム社製）２０重量部、合成シリカ（ニップシールＬＰ、東ソーシリカ社製）１５重量部、焼成クレー（サティントンＷホワイトテックス、エンゲルハード社製）７０重量部、架橋剤（２，５−ジメチル−２，５−ジ−ｔ−ブチルパーオキシヘキサン（４０％）：１重量部、酸化マグネシウム：５重量部、酸化亜鉛：２重量部、ステアリン酸：０．５重量部）を配合して成形後、洗浄、乾燥処理を行った以外は、実施例１と同じスポイドゴム２を作製した。このようにして作製された実施例１のスポイドゴム２は、輸液用ゴム栓試験（第１４改正日本薬局方）の溶出物試験および厚生省告示８５号試験に適合するものであった。また、ＪＩＳ  Ｋ  ６２５３の規定に準拠して測定されたスポイドゴム２の硬さは６０度であった。
【００４４】
＜実施例３＞
シリコーンゴム１００重量部（ＴＳＥ２２１−５Ｕ（ＧＥ東芝シリコーン社製）：５０重量部、ＴＳＥ２６０−５Ｕ（ＧＥ東芝シリコーン社製）：５０重量部）に、架橋剤（２，５−ジメチル−２，５−ジ−ｔ−ブチルパーオキシヘキサン（５０％））０．５重量部を配合して成形後、洗浄、乾燥処理を行った以外は、実施例１と同じスポイドゴム２を作製した。このようにして作製された実施例１のスポイドゴム２は、輸液用ゴム栓試験（第１４改正日本薬局方）の溶出物試験および厚生省告示８５号試験に適合するものであった。また、ＪＩＳ  Ｋ  ６２５３の規定に準拠して測定されたスポイドゴム２の硬さは５１度であった。
【００４５】
＜比較例１＞
フランジの開口端側に環状の突起を形成しなかった以外は、実施例１と同様にしてスポイドゴムを作製した。
【００４６】
＜比較例２＞
フランジの開口端側に環状の突起を形成しなかった以外は、実施例２と同様にしてスポイドゴムを作製した。
【００４７】
＜比較例３＞
フランジの開口端側に環状の突起を形成しなかった以外は、実施例３と同様にしてスポイドゴムを作製した。
【００４８】
＜評価試験＞
（１）気密性評価
実施例１〜３、比較例１〜３でそれぞれ得られたスポイドゴム（各１０本）に、スポイド、キャップ体を取付つけた。容器本体に化粧品グレードのグリセリン５０％液を１０ｍｌ入れ、容器本体の首部にキャップ体を螺合させ、一定トルクで巻き締めて、医薬品または化粧品用容器を作製した。その状態で経時させた（経時条件：２３±２℃／７日間、５５±１℃／７日間）後、医薬品または化粧品用容器を倒立させ、−７００ｍｍＨｇ雰囲気下に１０分間放置したときの液漏れを確認した。気密性は、液漏れが認められなかった本数／全試料数で判定した。
【００４９】
結果を表１に示す。結果、実施例１〜３はいずれも液漏れは認められなかった一方、比較例１〜３の中には液漏れが確認されたものが混じっていた。
【００５０】
【表１】
2006160339.tif 000003
【００５１】
（２）トルクバックの評価
実施例１〜３、比較例１〜３でそれぞれ得られたスポイドゴム（各１０本）に、スポイド、キャップ体を取付つけた。容器本体に化粧品グレードのグリセリン５０％液を１０ｍｌ入れ、容器本体の首部にキャップ体を螺合させ、一定トルクで巻き締めて、医薬品または化粧品用容器を作製した。その状態で経時させた（経時条件：２３±２℃／７日間）後、トルクバックした寸法を測定し、以下の三段階で評価した。
【００５２】
○：１ｍｍ未満
△：１ｍｍ以上３ｍｍ未満
×：３ｍｍ以上
結果を表１に示す。表１に示すように、実施例１〜３のスポイドゴムでは×の評価のものはなく、また比較例１〜３と比較して全体的に高い評価結果が得られた。
【００５３】
（３）スポイドゴムのへこみの評価
実施例１〜３、比較例１〜３でそれぞれ得られたスポイドゴム（各１０本）に、スポイド、キャップ体を取付つけた。容器本体（全量１８ｍｌ）に化粧品グレードのグリセリン５０％液を１０ｍｌ入れ、２３±２℃の雰囲気下で容器本体の首部にキャップ体を螺合させ、医薬品または化粧品用容器を作製した。次に、医薬品または化粧品用容器を５±２℃の冷蔵庫に６時間入れて取り出し、つまみ部のへこみを確認した。結果、実施例１〜３についてはいずれもへこみがみられなかった。
【００５４】
（４）容器本体とスポイドゴムとの密着性の評価
実施例１〜３、比較例１〜３でそれぞれ得られたスポイドゴム（各１０本）に、スポイド、キャップ体を取付つけ、さらに容器本体の首部にキャップ体を螺合させ、医薬品または化粧品用容器を作製した。その状態で経時させた（経時条件：５５±２℃／７日間）後、キャップ体を容器本体から間単に取り外すことができるか否かで、容器本体の首部の開口端側とスポイドゴムとの密着性を評価した。結果、実施例１〜３についてはいずれも簡単に取り外すことができ、密着性の不具合は起こらなかった。
【００５５】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５６】
【図１】本発明の好ましい一例の化粧品用または医薬品用容器１を模式的に示す断面図である。
【図２】本発明の好ましい一例の化粧品用または医薬品用容器１を模式的に示す正面図である。
【図３】図１のセクションＩＩＩを一部拡大して示す断面図である。
【図４】本発明の好ましい一例の化粧品用または医薬品用容器１の右分解斜視図である。
【図５】本発明の好ましい一例の化粧品用または医薬品用容器１の左分解斜視図である。
【図６】スポイドゴム２を装着したスポイド３をキャップ体４に挿通させた構成体を示す斜視図である。
【図７】本発明の好ましい他の例のスポイドゴム５１を模式的に示す断面図である。
【図８】本発明の好ましい他の例のスポイドゴム５１を模式的に示す下面図である。
【符号の説明】
【００５７】
１  化粧品用または医薬品用容器、２  スポイドゴム、３  スポイド、４  キャップ体、５  容器本体、１１  周壁、１２  開口、１３  溝、１４  フランジ、１６  突起、２１  頭部、２２  注入口、３１  周壁、３２  開口、３３  開口、３４  底壁、４１  周壁、４２  底壁、４３  首部、４４  開口、４５  開口端、５１  スポイドゴム、５２  周壁、５３  開口、５４  溝、５５  フランジ、５６  突起。
【図１】
2006160339.tif 000004
【図２】
2006160339.tif 000005
【図３】
2006160339.tif 000006
【図４】
2006160339.tif 000007
【図５】
2006160339.tif 000008
【図６】
2006160339.tif 000009
【図７】
2006160339.tif 000010
【図８】
2006160339.tif 000011